(57)【要約】      （修正有）【課題】単駆動源及び双駆動源のいずれかにより、前段及び後段ベッドの押上げ作動を行う電動ベッド連動構造を提供する。【解決手段】長手方向の両側面の対向した位置において、下方に突起した部分に設けられた第一転軸支孔１１及び第二軸支孔１２とその中間に補助アーム１３を設けた電動ベッドフレームと、電動ベッドフレーム１０に取り付けられた固定ベッド板２１と前段ベッド板２２、中段ベッド板２３及び後段ベッド板２４とからなるベッド板セット２０と、第一軸支孔に枢着された回転軸３１により前段ベッド板が押上げられる押上げフレーム３０と、第二軸支孔に枢着された支軸４０と、前段ベッド板及び後段ベッド板を連動して押上げ可能な連動部材とからなることを特徴として電動ベッド連動構造を構成する。【選択図】図２
0003157937.tif 000002
【実用新案登録請求の範囲】
【請求項１】
長手方向の両側面の対向した位置において、下方に突起した部分にそれぞれ設けられる一対の第一軸支孔及び第二軸支孔と、両側がそれぞれ該第一軸支孔と第二軸支孔との間に固定される補助アームとを備える電動ベッドフレームと、
固定ベッド板によって電動ベッドフレームにロックされ、固定ベッド板の頭部の一端に、前段ベッド板が枢着され、もう一端に、順に中段ベッド板と後段ベッド板が枢着されたベッド板セットと、
矩形を呈するフレームであって、矩形の長手方向の一方の側面に、両側が該第一軸支孔に回動自在に支持される回転軸が設けられ、かつ該回転軸には連動突起が一体に形成され、該矩形の長手方向の他方の側面には、該前段ベッドの底面に当接する当接部が形成された押上げフレームと、
第二軸支孔に枢着され、棒体に、スイングアームが設置され、スイングアームが、中段ベッド板に当接する支軸と、
連動棒と押し棒があり、一端にある連動孔により、押上げフレームの連動端部に枢着され、補助アームに貫通してもう一端へ向かう複数の調整孔が形成され、上記押し棒が、形成された摺動孔により、連接棒の調整孔端部に枢着され、もう一端の連接部が、中段ベッド板に枢着され、位置決めピンを調整孔に貫設して、押し棒と連接棒との相対位置が決められ、押上げフレームの揺動により、連動部材が連動して、前段ベッド板及び後段ベッド板が、連動して揺動する連動部材と、
を含有することを特徴とする電動ベッド連動構造。
【請求項２】
電動ベッドフレームにおいて、下方へ突出する固定部が設けられ、固定部に、駆動部材が接続され、上記押上げフレームの一方の側面に形成した回転軸には、さらに押し部が設けられて駆動部材のもう一端が枢着され、これにより、単駆動源による制御形態が形成されることを特徴とする請求項１に記載の電動ベッド連動構造。
【請求項３】
電動ベッドフレームにおいて、前段ベッド板の末端に、水平に二つの支持柱が設けられ、支持柱で、前段ベッド板を、水平に支持することを特徴とする請求項１に記載の電動ベッド連動構造。
【請求項４】
後段ベッド板の外縁に、二つのローラが設置され、上記電動ベッドフレームが、ローラに合わせて二つの当接桿が形成されることを特徴とする請求項１に記載の電動ベッド連動構造。
【請求項５】
電動ベッドフレームに、上駆動部材と下駆動部材が固定され、上記上駆動部材が、回転軸から突出した上押しアームに枢着され、下駆動部材が、支軸に設置された下押しアームに枢着され、双駆動源による制御形態が形成されることを特徴とする請求項１に記載の電動ベッド連動構造。
【考案の詳細な説明】
【技術分野】
【０００１】
本考案は、電動ベッド連動構造に関するものであり、さらに詳しくは、連動部材を利用して、前段ベッド板及び後段ベッド板の連動効果が得られ、また、同時に、単駆動源と双駆動源の使用形態に適用可能な電動ベッド連動構造に関するものである。
【背景技術】
【０００２】
従来の電動ベッドは、ベッドフレームの下端に、二つの駆動器が実装され、その一つの駆動器で前段ベッド板を駆動して、前段ベッド板を押し上げて傾斜させ、ユーザーの上半身が、斜めになる状態に持ち上げられ、もう一つの駆動器で、後段ベッド板を駆動し、後段ベッド板が連動されて持ち上げられ傾斜状態となる。即ち、脚部が、持ち上げられて、床面が湾曲状態になり、上記の電動方式による駆動により、電動ベッドは、ベッド板の高さを変化させることにより、ユーザーのニーズに満足させることができるというものであった。
【０００３】
しかし、上記の従来構造は、その電動ベッドが、双駆動器であり、それぞれ、前段ベッド板及び後段ベッド板の傾斜を制御できるだけで、両駆動器が、それぞれ独自に制御されるため、制御回路が、複雑になり、また、双駆動器の使用により、コストが高くなるという問題があった。
【０００４】
即ち、単駆動器で制御する場合、他の電動ベッド構造を利用する必要があり、同一電動ベッドは、同時に、両種類の駆動方式を適用できず、多様化された選択機能を有するものではなく、その実用性が欠ける点に問題があった。
【０００５】
かかる状況下において、特許文献１によれば、電動ベッドの床傾斜調節機構が開示されている。そして、同公報にはかかる床傾斜調節機構は、電動モーターにより床面の昇降調節を行うことが記載されている。
【０００６】
しかしながら、前記の床傾斜調節機構は一つの電動モーターによる単駆動源方式に限定されたものであり、双駆動源方式を併用する点については開示がない。
【特許文献１】実用新案登録第３１５５５５３号公報
【考案の開示】
【考案が解決しようとする課題】
【０００７】
従って、本考案の課題は、前段ベッド板及び後段ベッド板の起ち上げ可能な電動ベッドであって、ユーザーのニーズに応じて前後二つのベッド板の傾斜を単駆動源及び双駆動源を任意に選択して行うことが可能な電動ベッドの連動構造を提供する点にある。
【課題を解決するための手段】
【０００８】
そこで、本考案者は、上記の本考案の課題を解決するために、鋭意検討を重ねた結果、後述するように連動部材の採用により、単駆動源及び双駆動源による駆動方式を実施できることを見出し、かかる知見に基づいて本考案に想到した。
【０００９】
即ち、本考案の目的は、同時に、単駆動源と双駆動源の実装方式を提供でき、連動部材による連動の可否により、両種類の駆動方式を使用でき、ユーザーのニーズに応じて、多様化された機能を選択でき、電動ベッドの適用性を向上させることができるので、生産コストの節約や多様化選択が実現されて、実用性に優れた電動ベッド連動構造を提供することにある。
【００１０】
かくして、本考案によれば、請求項１において、
長手方向の両側面の対向した位置において、下方に突起した部分にそれぞれ設けられる一対の第一軸支孔及び第二軸支孔と、両側がそれぞれ該第一軸支孔と第二軸支孔との間に固定される補助アームとを備える電動ベッドフレームと、
固定ベッド板によって電動ベッドフレームにロックされ、固定ベッド板の頭部の一端に、前段ベッド板が枢着され、もう一端に、順に中段ベッド板と後段ベッド板が枢着されたベッド板セットと、
矩形を呈するフレームであって、矩形の長手方向の一方の側面に、両側が該第一軸支孔に回動自在に支持される回転軸が設けられ、かつ該回転軸には連動突起が一体に形成され、該矩形の長手方向の他方の側面には、該前段ベッドの底面に当接する当接部が形成された押上げフレームと、
第二軸支孔に枢着され、棒体に、スイングアームが設置され、スイングアームが、中段ベッド板に当接する支軸と、
連動棒と押し棒があり、一端にある連動孔により、押上げフレームの連動端部に枢着され、補助アームに貫通してもう一端へ向かう複数の調整孔が形成され、上記押し棒が、形成された摺動孔により、連接棒の調整孔端部に枢着され、もう一端の連接部が、中段ベッド板に枢着され、位置決めピンを調整孔に貫設して、押し棒と連接棒との相対位置が決められ、押上げフレームの揺動により、連動部材が連動して、前段ベッド板及び後段ベッド板が、連動して揺動する連動部材と、
を含有することを特徴とする電動ベッド連動構造が提供される。
【００１１】
請求項２の考案によれば、
電動ベッドフレームにおいて、下方へ突出する固定部が設けられ、固定部に、駆動部材が接続され、上記押上げフレームの一方の側面に形成した回転軸には、さらに押し部が設けられて駆動部材のもう一端が枢着され、これにより、単駆動源による制御形態が形成されることを特徴とする請求項１に記載の電動ベッド連動構造が提供される。
【００１２】
請求項３の考案によれば、
電動ベッドフレームにおいて、前段ベッド板の末端に、水平に二つの支持柱が設けられ、支持柱で、前段ベッド板を、水平に支持することを特徴とする請求項１に記載の電動ベッド連動構造が提供される。
【００１３】
請求項４の考案によれば、
後段ベッド板の外縁に、二つのローラが設置され、上記電動ベッドフレームが、ローラに合わせて二つの当接桿が形成されることを特徴とする請求項１に記載の電動ベッド連動構造が提供される。
【００１４】
請求項５の考案によれば、
電動ベッドフレームに、上駆動部材と下駆動部材が固定され、上記上駆動部材が、回転軸から突出した上押しアームに枢着され、下駆動部材が、支軸に設置された下押しアームに枢着され、双駆動源による制御形態が形成されることを特徴とする請求項１に記載の電動ベッド連動構造が提供される。
【考案の効果】
【００１５】
本考案によれば、上記の如き構成からなるものであり、単駆動方式及び双駆動方式を採用することができ、前段ベッド板の押上げによる起立作動と後段ベッド板の起伏作動を連動して円滑に行うことができる。
【考案を実施するための最良の形態】
【００１６】
以下、図面を参照しながら、本考案の特徴や技術内容について、詳しく説明するが、それらの図面等は、参考や説明のためであり、本考案は、それらによって限定されるものではない。
【００１７】
本考案に係る電動ベッド連動構造は、図１及び図２に示すように、電動ベッドフレーム１０とベッド板セット２０、押上げフレーム３０、支軸４０及び連動部材５０から構成されたものである。
【００１８】
電動ベッドフレーム１０は、長手方向の両側面の対向した位置において、下方に突起した部分に第一軸支孔１１と第二軸支孔１２を設置してあり、第一軸支孔１１及び第二軸支孔１２の間に、補助アーム１３を設置してある。ベッド板セット２０は、固定ベッド板２１によって電動ベッドフレーム１０にロックされ、固定ベッド板２１の頭部の一端に、前段ベッド板２２を枢着し、もう一端に、順に中段ベッド板２３と後段ベッド板２４を枢着してある。また、上記電動ベッドフレーム１０において、前段ベッド板２２の末端に対応して、水平に二つの支持柱１４を設けてあり、その支持柱１４で、前段ベッド板２２を水平に支持してある。また、上記後段ベッド板２４には、外縁において、二つのローラ２５を設置してある。上記電動ベッドフレーム１０には、ローラ２５に合わせて、二つの当接桿１５を形成してある。
【００１９】
押上げフレーム３０は、一側辺に、回転軸３１を設置し、回転軸３１により、第一軸支孔１１に枢着され、また、回転軸３１には、連動端部３２を設置してある。もう一側辺に、当接部３３を形成し、当接部３３が、摺動可能に前段ベッド板２２の底面に当接する。
【００２０】
支軸４０は、第二軸支孔１２に枢着され、棒体に、スイングアーム４１が設置され、スイングアーム４１が、中段ベッド板２３に当接し、連動部材５０には、連動棒５１と押し棒５２があり、上記連動棒５１は、一端にある連動孔５１１により、押上げフレーム３０の連動端部３２に枢着され、補助アーム１３に貫通してもう一端へ向かう複数の調整孔５１２を形成してある。
【００２１】
また上記押し棒５２が、形成された摺動孔５２１により、連接棒５１の調整孔５１２端部に枢着され、もう一端の連接部５２２が、中段ベッド板２３に枢着してある。
【００２２】
また、位置決めピン５３を調整孔５１２に貫設して、押し棒５２と連接棒５１との相対位置が決められ、押上げフレーム３０の揺動により、連動部材５０が連動され、前段ベッド板１１及び後段ベッド板１２が、連動して揺動する。
【００２３】
本考案に係る電動ベッド連動構造によれば、図２と図３に示すように、ベッド板セット２０は、固定ベッド板２１により、直接に、電動ベッドフレーム１０上にロックされる。
【００２４】
電動ベッドフレーム１０の支持柱１４端部に、前段ベッド板２２が枢着され、上記前段ベッド板２２が、固定ベッド板２１に連結する部位で、ピン連結され、横臥した使用者の上半身を支え、また、固定ベッド板２１の摺動桿１５端部に、順に中段ベッド板２３と後段ベッド板２４を枢着したものであり、上記中段ベッド板２３と後段ベッド板２４を、へ文字状態に制御することができ、両脚を平らにすることや湾曲することができる。
【００２５】
押上げフレーム３０は、回転軸３１の両端を、電動ベッドフレーム１０の第一軸支孔１１に貫設し、当接部３３が、前段ベッド板２２の底端に当接し、また、支軸４０は、両端が、第二軸支孔１２に貫設され、スイングアーム４１が、中段ベッド板２３に枢着される。
【００２６】
連動部材５０は、連動棒５１が、電動ベッドフレーム１０の補助アーム１３に貫設され、連動孔５１１端部が、押上げフレーム３０の連動端部３２に結合される。これにより、連動棒５１の両点支持が形成される。
【００２７】
また、連動棒５１の調整孔５１２に、押し棒５２の摺動孔５２１が嵌設される。また、押し棒５２の外側端部の調整孔５１２に、位置決めピン５３が挿設され、位置決めピン５３の制限により、押し棒５２が、調整孔５１２端部から脱離できず、更に、押し棒５２の連接部５２２が、中段ベッド板２３に枢着される。
【００２８】
即ち、連動部材５０により、押上げフレーム３０と中段ベッド板２３が連動され、また、連動部材５０の連動により、同期制御を機能が発揮することができる。
【００２９】
実用上、上記第一実施形態によれば、図２と図４及び図５で示すように、本考案に係る電動ベッド連動構造は、単駆動源を利用して、ベッド板の押上げ作動を行うことができる。
【００３０】
電動ベッドフレーム１０には、下方へ突出する固定部１６が設けられ、固定部１６により、駆動部材６０が接続される。
【００３１】
また、上記回転軸３１に、押し部３１１が突出して設けられ、駆動部材６０のもう一端が枢着され、単駆動源による制御形態が形成される。
【００３２】
駆動部材６０が、伸長して、押上げフレーム３０の押し部３１１を押すと、上記押し部３１１が、直接に、回転軸３１を回動させ、押上げフレーム３０の当接部３３が、押上げ状態に変化する。
【００３３】
また、当接部３３により、ベッド板セット２０の前段ベッド板２２を押し、前段ベッド板２２を持ち上げ、同時に、押上げフレーム３０の連動端部３２が、押し部３１１と、同一方向へ変位して、枢着された連動棒５１が引っ張られ、上記連動棒５１の調整孔５１２端部に嵌設された押し棒５２が、位置決めピン５３によって制限されるため、摺動孔５２１端部が引っ張られて、連動棒５１と同じ方向へ変位することになり、連動棒５１と押し棒５２との連動により、押し棒５２で、上方へ押す効果が得られる。
【００３４】
また、押し棒５２の連接部５２２が、中段ベッド板２３に枢着され、中段ベッド板２３と固定ベッド板２１端とが、ピン連結される。
【００３５】
また、後段ベッド板２４が、中段ベッド板２３に連動され、そのため、ローラ２５端部で、当接桿１５において、摺動し、持ち上げられる状態になり、中段ベッド板２３と後段ベッド板２４の押上げ作動が行われる。
【００３６】
また、上記中段ベッド板２３と後段ベッド板２４とが、へ文字状になり、そして、上記支軸４０が、電動ベッドフレーム１０と中段ベッド板２３に連接されるため、押上げ機能を輔助することができ、図６のように、上記複数の調整孔５１２は、選択的に位置決めピン５３を挿設することができ、位置決めピン５３が挿設された位置が、連動棒５１の外側端部に近づくと、その押し棒５２の摺動孔５２１が、やや外端へ摺動でき、これにより、押し棒５２が、やや水平の状態になって、中段ベッド板２３の変位量が低減される。
【００３７】
そのため、中段ベッド板２３と後段ベッド板２４が、相対的に、前段ベッド板２２の押上げに対する高さを調整でき、また、位置決めピン５３が、連動棒５１の最外端の調整孔５１２に挿設される時、その押し棒５２で、完全に、中段ベッド板２３を押すことができず、即ち、前段ベッド板２２だけを押上げる使用状態になる。上記作動は、単駆動源による制御方式によるものである。
【００３８】
第二実施形態によれば、図２と図７及び図８に示すように、本考案に係る電動ベッド連動構造は、双駆動源を利用して、ベッド板の押上げ作動を行うことができる。
【００３９】
即ち、電動ベッドフレーム１０には、上駆動部材６０ａと下駆動部材６０ｂが固定され、上記上駆動部材６０ａが、回転軸３１から突出した上押しアーム３１２に枢着され、下駆動部材６０ｂが、支軸４０に設けられた下押しアーム４２に枢着される。
【００４０】
これにより、双駆動源による制御形態が形成される。上駆動部材６０ａが伸長する場合、上記上駆動部材６０ａで、押上げフレーム３０の上押しアーム３１２を押し、押上げフレーム３０は、回転軸３１を軸心として、押上げ状態になるように回転し、直接に前段ベッド板２２を持ち上げ、図９のように、下駆動部材６０ｂが伸長する場合、上記下駆動部材６０ｂで、支軸４０の下押しアーム４２を押し、支軸４０で、回転によりスイングアーム４１を持ち上げ、直接に、中段ベッド板２３と後段ベッド板２４が、押上げ状態になるように、持ち上げられる。この時、図６のように、連動部材５０の位置決めピン５３が、連動棒５１の最外端部に挿設される。即ち、連動部材５０が連動されず、前段ベッド板２２と後段ベッド板が、それぞれ、独自に駆動源によって連動される。以上は、双駆動源の制御方式によるものである。
【００４１】
上記の具体的な実施例によれば、本考案に係る電動ベッド連動構造は、同時に、単駆動源と双駆動源の実装方式を提供でき、連動部材５０が連動するか否かにより、両種類の駆動方式の使用形態を実現することができる。また、ユーザーのニーズに応じて、多様化された機能を選択することができ、電動ベッドの適用性、即ち、生産コストの節約や多様化選択の機能等の利点が得られる。
【００４２】
以上の説明から理解されるように、本考案に係る電動ベッド連動構造は、より進歩的であり、かつより実用的である。
以上は、本考案のより良い実施例であり、本考案は、それらによって限定されるものではなく、また、本考案に係わる考案登録請求の範囲や明細書の内容に基づいて行った等価の変更や修正は、全てが、本考案の範囲内に含まれることは明らかである。
【図面の簡単な説明】
【００４３】
【図１】本考案の一実施形態による電動ベッド連動構造の斜視図である。
【図２】本考案の一実施形態による電動ベッド連動構造の分解斜視図である。
【図３】本考案の一実施形態による電動ベッド連動構造の側面概念図である。
【図４】本考案の一実施形態による電動ベッド連動構造を単駆動源により作動させる状態を示す側面概念図である。
【図５】本考案の一実施形態による電動ベッド連動構造を単駆動源により両方向に押上げる状態を示す作動図である。
【図６】本考案の一実施形態による電動ベッド連動構造を単駆動源により一方向に押上げる状態を示す作動図である。
【図７】本考案の一実施形態による電動ベッド連動構造を双駆動源により作動させる状態を示す作動図である。
【図８】本考案の一実施形態による電動ベッド連動構造を双駆動源により前段ベッド板を押上げる状態を示す作動図である。
【図９】本考案の一実施形態による電動ベッド連動構造を双駆動源により後段ベッドを押上げる状態を示す作動図である。
【符号の説明】
【００４４】
１０    電動ベッドフレーム
１１    第一軸支孔
１２    第二軸支孔
１３    補助アーム
１４    支持柱
１５    当接桿
１６    固定部
２０    ベッド板セット
２１    固定ベッド板
２２    前段ベッド板
２３    中段ベッド板
２４    後段ベッド板
２５    ローラ
３０    押上げフレーム
３１    回転軸
３１１  押し部
３１２  上押しアーム
３２    連動端部
３３    当接部
４０    支軸
４１    スイングアーム
４２    下押しアーム
５０    連動部材
５１    連動棒
５１１  連動孔
５１２  調整孔
５２    押し棒
５２１  摺動孔
５２２  連接部
５３    位置決めピン
６０    駆動部材
６０ａ  上駆動部材
６０ｂ  下駆動部材
【図１】
0003157937.tif 000003
【図２】
0003157937.tif 000004
【図３】
0003157937.tif 000005
【図４】
0003157937.tif 000006
【図５】
0003157937.tif 000007
【図６】
0003157937.tif 000008
【図７】
0003157937.tif 000009
【図８】
0003157937.tif 000010
【図９】
0003157937.tif 000011